(57)【特許請求の範囲】
【請求項１】
便器に設けられ、ノズルから水を噴出する衛生洗浄装置であって、   
前記ノズルは、   
第１ノズル部品と、   
前記第１ノズル部品に対して着脱自在な第２ノズル部品と、   
前記第１ノズル部品及び前記第２ノズル部品をロックするロック部と、   
前記ノズルに設けられ、押し込み操作されることで少なくとも一部が移動して前記ロック部のロックを解除する操作部と、
を備え、
前記ノズルは、一軸方向に長い形状であり、
前記第１ノズル部品は、前記ノズルが前記一軸方向に分割された片方のノズル本体部であり、
前記第２ノズル部品は、前記ノズルが前記一軸方向に分割された他方のノズルヘッド部であって、前記ノズル本体部の先端に対して着脱自在なノズルヘッド部であり、
前記操作部は、前記ノズルヘッド部の周側面に設けられ前記ノズルヘッド部における前記操作部の周囲と略面一であり、
前記ノズルヘッド部は
水の流路が内部に設けられたノズルヘッドと、
前記ノズルヘッドの少なくとも一部を覆うノズルヘッドカバーと、を備え、
前記ノズルヘッドの外周面と前記ノズルヘッドカバーの内周面との間には、
前記操作部が前記押し込み操作されることで弾性変形して移動する隙間がある
衛生洗浄装置。  
【請求項２】
前記操作部は、前記ノズル本体部及び前記ノズルヘッド部がロックされた場合に互いに向き合う両端部のうち何れか一方の端部に設けられている、   
請求項１に記載の衛生洗浄装置。   
【請求項３】
前記ロック部は、   
前記ノズル本体部及び前記ノズルヘッド部の何れか一方の端部に設けられたフックと、  前記ノズル本体部及び前記ノズルヘッド部のうち他方の端部で且つ前記一方の端部と向き合う端部に設けられ、前記フックが嵌るフック受け穴と、   
を備える、   
請求項２に記載の衛生洗浄装置。   
【請求項４】
前記ノズルヘッド部における前記ノズル本体部側の端部には、前記ノズル本体部内に差し込まれる差込み部が設けられ、   
前記フック受け穴は、前記差込み部に貫通して設けられている、   
請求項３に記載の衛生洗浄装置。   
【請求項５】
前記ノズル本体部の端部に設けられ、前記ノズルヘッド部が乗せられて前記ノズル本体部とロックされる箇所までスライド自在なスライド部、   
を備える請求項３又は４に記載の衛生洗浄装置。   
【請求項６】
前記ノズルヘッドの前記流路と、前記ノズル本体部の流路と、を接続するパッキンを備え、   
前記パッキンは、前記ノズルヘッド部に固定されている、 請求項１乃至５の何れか１項に記載の衛生洗浄装置。   
【請求項７】
便器と、前記便器内に突出自在で、水を噴出するノズルと、を備えるトイレ装置であって、   
前記ノズルは、   
第１ノズル部品と、   
前記第１ノズル部品に対して着脱自在な第２ノズル部品と、   
前記第１ノズル部品及び前記第２ノズル部品をロックするロック部と、   
前記ノズルに設けられ、押し込み操作されることで少なくとも一部が移動して前記ロック部のロックを解除する操作部と、
を備え、
前記ノズルは、一軸方向に長い形状であり、
前記第１ノズル部品は、前記ノズルが前記一軸方向に分割された片方のノズル本体部であり、
前記第２ノズル部品は、前記ノズルが前記一軸方向に分割された他方のノズルヘッド部であって、前記ノズル本体部の先端に対して着脱自在なノズルヘッド部であり、
前記操作部は、前記ノズルヘッド部の周側面に設けられ前記ノズルヘッド部における前記操作部の周囲と略面一であり、
前記ノズルヘッド部は
水の流路が内部に設けられたノズルヘッドと、
前記ノズルヘッドの少なくとも一部を覆うノズルヘッドカバーと、を備え、
前記ノズルヘッドの外周面と前記ノズルヘッドカバーの内周面との間には、
前記操作部が前記押し込み操作されることで弾性変形して移動する隙間がある
トイレ装置。  
【発明の詳細な説明】
【技術分野】
【０００１】
本発明は、ノズルを備えた衛生洗浄装置及びトイレ装置に関する。
【背景技術】
【０００２】
従来から、便器に設けられ、ノズルから例えば人体局部に水を噴出する衛生洗浄装置が知られている。この衛生洗浄装置のノズルの中には、メンテナンス容易性の向上等の観点から、ノズルが分割されているものもある。
【０００３】
例えば特許文献１には、ノズル全体がノズルとノズルカバーで分割された構成が開示されている。そして、この構成においてノズル全体を組み立てる際には、ノズルの係合爪とノズルカバーの内溝の周方向位置を合わせてノズルカバーを軸方向に沿って差し込んだ後、ノズルカバーをノズルに対して回転して、係合爪をノズルカバーの係合窓に嵌め込むことにより、ノズルとノズルカバーとを接続固定（以下、ロックという。）している。また、この構成においてノズルカバーを取り外す際には、上記ロックと反対の手順、すなわちノズルカバーを逆回転する回転操作及び軸方向に引く操作で、ノズルとノズルカバーとのロックを解除している。
【０００４】
また、特許文献２には、ノズルが分割されたものではないものの、衛生洗浄装置の一種である局部洗浄装置に備えられたノズル係合部に向かってノズルを軸方向の押し込み操作することにより、ノズルとノズル係合部とをロックする構成が開示されている。この特許文献２の記載の構成では、上記ロックと反対の手順、すなわちノズルを軸方向に引く操作で、ノズルとノズル係合部とのロックが解除される。
【先行技術文献】
【特許文献】
【０００５】
【特許文献１】特開２００９−２８７３３０号公報
【特許文献２】特開２０００−２９１１０４号公報
【発明の概要】
【発明が解決しようとする課題】
【０００６】
しかしながら、特許文献１に記載のように回転操作でロックが解除されてしまうと、ノズルとノズルカバーとがロックされている状態でノズル全体の掃除をする場合においては、ノズルカバーに回転方向の力が掛るので、ロックが不用意に解除されてしまう虞があった。
【０００７】
また仮に、特許文献２に記載の技術を、ノズル全体がノズルとノズルカバーで分割された技術に組み合わせることができたとしても、ノズルとノズルカバーとのロックを解除するには、ノズルカバーを軸方向に引く操作となる。この結果、ノズルとノズルカバーとがロックされている状態でノズル全体の掃除をする場合においては、ノズルカバーに引く方向の力が掛り得るため、ロックが不用意に解除されてしまう虞があった。
【０００８】
そこで、本発明はこのような課題に鑑みてなされたものであり、分割されたノズル部同士がロックされている状態において、分割されたノズル部同士のロックが回転操作や引く操作で不用意に解除されてしまうことを抑制することができる衛生洗浄装置及びトイレ装置を提供することを目的の一つとする。
【課題を解決するための手段】
【０００９】
本発明の第１態様に係る衛生洗浄装置は、便器に設けられ、ノズルから水を噴出する衛生洗浄装置であって、前記ノズルは、第１ノズル部品と、前記第１ノズル部品に対して着脱自在な第２ノズル部品と、前記第１ノズル部品及び前記第２ノズル部品をロックするロック部と、前記ノズルに設けられ、押し込み操作されることで少なくとも一部が移動して前記ロック部のロックを解除する操作部と、を備え、前記ノズルは、一軸方向に長い形状であり、前記第１ノズル部品は、前記ノズルが前記一軸方向に分割された片方のノズル本体部であり、前記第２ノズル部品は、前記ノズルが前記一軸方向に分割された他方のノズルヘッド部であって、前記ノズル本体部の先端に対して着脱自在なノズルヘッド部であり、前記操作部は、前記ノズルヘッド部の周側面に設けられ前記ノズルヘッド部における前記操作部の周囲と略面一であり、前記ノズルヘッド部は水の流路が内部に設けられたノズルヘッドと、前記ノズルヘッドの少なくとも一部を覆うノズルヘッドカバーと、を備え、前記ノズルヘッドの外周面と前記ノズルヘッドカバーの内周面との間には、前記操作部が前記押し込み操作されることで弾性変形して移動する隙間がある。
【００１０】
この構成において、ロック部により第２ノズル部品と第１ノズル部品とがロックされた状態において掃除等がされる場合に、第２ノズル部品に対して回転操作や引く操作が行われたとしても、操作部に対する押し込み操作がなければ、ロックの解除がされない。また、回転操作が行なわれる掃除のときに、回転前にノズルに接触する程度の押し込み操作も想定され得るが、操作部の少なくとも一部が移動するようなより大きな力の押し込み操作、すなわち押し込み操作でなければ、操作部が移動せず、ロックの解除がされない。掃除等の際には、操作部に対する押し込み操作まで行なわれる場合も想定され得るが、この構成によれば、少なくとも回転操作や引く操作でロックが不用意に解除されてしまうことを抑制することができる。
この構成によれば、周側面に操作部が設けられているので、ロックを解除する際には、径方向に押し込み操作をすることになる。したがって、ノズルを軸方向に押す操作（押し込み操作を含む）や引く操作があっても、径方向に押し込み操作することにならないので、ロックが不用意に解除されてしまうことを抑制することができる。また、ノズルヘッド部をノズル本体部から引き抜くために周側面を摘む場合に、その際、一緒に周側面に設けられた操作部が押し込み操作されるか、摘む部分の周囲の周側面に押し込み力が働いて、ロックを解除することができる。したがって、ノズルヘッド部を引き抜くときの作業効率を向上することができる。
この構成によれば、操作部が例えばノズルから突出する押ボタンである場合に比べて、単純な構造でロックを解除することができる。また、操作部は、弾性変形して移動するため、押し込み操作が終わった後は、操作部は、逆方向に弾性変形して元の位置に戻るので、再度ノズルを使用することができる。
この構成によれば、操作部が例えば凹凸して操作部の周囲と略面一でない場合に比べて、汚れにくい。
この構成によれば、ノズルヘッド部をノズル本体部から引き抜くためにノズルヘッド部の周側面を摘む場合に、操作部が引き抜く対象のノズルヘッド部に設けられているので、操作部を掴むことができる。したがって、操作部を掴めば、押し込み操作と引き抜き操作を、手を離すことなく一連の動作で行なうことができるため、ノズルヘッド部を引き抜くときの作業効率を向上することができる。
この構成によれば、ノズルヘッド部がノズルヘッドカバーだけでなくノズルヘッドも備えるので、水が流れる流路内の清掃をするときに、ノズル全体を取り外さなくても、ヘッドヘッドをノズルヘッドカバーと共にノズル本体部から取り外すことができ、清掃時等の作業効率を向上することができる。
【００２１】
本発明の第２態様に係る衛生洗浄装置では、第１態様において、前記操作部は、前記ノズル本体部及び前記ノズルヘッド部がロックされた場合に互いに向き合う両端部のうち何れか一方の端部に設けられている。
【００２２】
この構成によれば、操作部が端部にない場合に比べて、弾性変形し易い。
【００２３】
本発明の第３態様に係る衛生洗浄装置では、第２態様において、前記ロック部は、前記ノズル本体部及び前記ノズルヘッド部の何れか一方の端部に設けられたフックと、前記ノズル本体部及び前記ノズルヘッド部のうち他方の端部で且つ前記一方の端部と向き合う端部に設けられ、前記フックが嵌るフック受け穴と、を備える。
【００２４】
この構成によれば、ノズルヘッド部をノズル本体部に差し込むだけで、フックがフック受け穴に嵌り、ノズル本体部とノズルヘッド部とをロックすることができる。そして、ロック部のフック又はフック受け穴が操作部と同じ端部に設けられることで、操作部が押し込み操作されると、フック又はフック受け穴を容易に移動させて、ロックを解除することができる。
【００２５】
本発明の第４態様に係る衛生洗浄装置では、第３態様において、前記ノズルヘッド部における前記ノズル本体部側の端部には、前記ノズル本体部内に差し込まれる差込み部が設けられ、前記フック受け穴は、前記差込み部に貫通して設けられている。
【００２６】
この構成によれば、差込み部がノズル本体部内に差し込まれた状態、すなわちノズルが組み立てられている状態では、貫通したフック受け穴が内部に隠れることになるので、貫通したフック受け穴が外部に露出している場合に比べて、フック受け穴が汚れにくく、また掃除がし易い。
【００２７】
本発明の第５態様に係る衛生洗浄装置は、第３態様又は第４態様において、前記ノズル本体部の端部に設けられ、前記ノズルヘッド部が乗せられて前記ノズル本体部とロックされる箇所までスライド自在なスライド部、を備える。
【００２８】
この構成によれば、ノズルヘッド部をスライド部に乗せた後、そのままロックされる箇所までスライドすれば、その勢いでフックがフック受け穴に嵌り込み、ノズル本体部とノズルヘッド部をロックすることができる。したがって、ロックまでの一連の作業効率を向上することができる。また、スライド部がない場合に比べて、ノズルヘッド部をノズル本体部に接続し始めるときに、ノズルヘッド部のずれが生じることを抑制でき、もって、ノズルヘッド部とノズル本体部の接続を容易にすることができる。
【００３１】
本発明の第６態様に係る衛生洗浄装置では、第１乃至第５の何れか１つの態様において、前記ノズルヘッドの前記流路と、前記ノズル本体部の流路と、を接続するパッキンを備え、前記パッキンは、前記ノズルヘッド部に固定されている。
【００３２】
この構成によれば、パッキンがノズルヘッド部に固定されているので、ノズルヘッド部の取り外し時に、パッキンも一緒に取り外すことができ、清掃時等の作業効率を向上することができる。
【００３３】
本発明の第７態様に係るトイレ装置は、便器と、前記便器内に突出自在で、水を噴出するノズルと、を備えるトイレ装置であって、前記ノズルは、第１ノズル部品と、前記第１ノズル部品に対して着脱自在な第２ノズル部品と、前記第１ノズル部品及び前記第２ノズル部品をロックするロック部と、前記ノズルに設けられ、押し込み操作されることで少なくとも一部が移動して前記ロック部のロックを解除する操作部と、を備え、前記ノズルは、一軸方向に長い形状であり、前記第１ノズル部品は、前記ノズルが前記一軸方向に分割された片方のノズル本体部であり、前記第２ノズル部品は、前記ノズルが前記一軸方向に分割された他方のノズルヘッド部であって、前記ノズル本体部の先端に対して着脱自在なノズルヘッド部であり、前記操作部は、前記ノズルヘッド部の周側面に設けられ前記ノズルヘッド部における前記操作部の周囲と略面一であり、前記ノズルヘッド部は水の流路が内部に設けられたノズルヘッドと、前記ノズルヘッドの少なくとも一部を覆うノズルヘッドカバーと、を備え、前記ノズルヘッドの外周面と前記ノズルヘッドカバーの内周面との間には、前記操作部が前記押し込み操作されることで弾性変形して移動する隙間がある。
【００３４】
この構成では、ノズルは便器内に突出自在なので、突出したときに汚れる場合がある。そこで、ロック部により第２ノズル部品と第１ノズル部品とがロックされた状態において掃除等がされる場合に、第２ノズル部品に対して回転操作や引く操作が行われたとしても、操作部に対する押し込み操作がなければ、ロックの解除がされない。また、回転操作が行なわれる掃除のときに、回転前にノズルに接触する程度の押し込み操作も想定され得るが、操作部の少なくとも一部が移動するようなより大きな力の押し込み操作、すなわち押し込み操作でなければ、操作部が移動せず、ロックの解除がされない。掃除等の際には、操作部に対する押し込み操作まで行なわれる場合も想定され得るが、この構成によれば、少なくとも回転操作や引く操作でロックが不用意に解除されてしまうことを抑制することができる。
この構成によれば、周側面に操作部が設けられているので、ロックを解除する際には、径方向に押し込み操作をすることになる。したがって、ノズルを軸方向に押す操作（押し込み操作を含む）や引く操作があっても、径方向に押し込み操作することにならないので、ロックが不用意に解除されてしまうことを抑制することができる。また、ノズルヘッド部をノズル本体部から引き抜くために周側面を摘む場合に、その際、一緒に周側面に設けられた操作部が押し込み操作されるか、摘む部分の周囲の周側面に押し込み力が働いて、ロックを解除することができる。したがって、ノズルヘッド部を引き抜くときの作業効率を向上することができる。
この構成によれば、操作部が例えばノズルから突出する押ボタンである場合に比べて、単純な構造でロックを解除することができる。また、操作部は、弾性変形して移動するため、押し込み操作が終わった後は、操作部は、逆方向に弾性変形して元の位置に戻るので、再度ノズルを使用することができる。
この構成によれば、操作部が例えば凹凸して操作部の周囲と略面一でない場合に比べて、汚れにくい。
この構成によれば、ノズルヘッド部をノズル本体部から引き抜くためにノズルヘッド部の周側面を摘む場合に、操作部が引き抜く対象のノズルヘッド部に設けられているので、操作部を掴むことができる。したがって、操作部を掴めば、押し込み操作と引き抜き操作を、手を離すことなく一連の動作で行なうことができるため、ノズルヘッド部を引き抜くときの作業効率を向上することができる。
この構成によれば、ノズルヘッド部がノズルヘッドカバーだけでなくノズルヘッドも備えるので、水が流れる流路内の清掃をするときに、ノズル全体を取り外さなくても、ヘッドヘッドをノズルヘッドカバーと共にノズル本体部から取り外すことができ、清掃時等の作業効率を向上することができる。
【発明の効果】
【００３５】
本発明の衛生洗浄装置及びトイレ装置によれば、分割されたノズル部同士がロックされている状態において、分割されたノズル部同士のロックが回転操作や引く操作で不用意に解除されてしまうことを抑制することができる。
【図面の簡単な説明】
【００３６】
【図１】本発明の第一実施形態に係る衛生洗浄装置を備えたトイレ装置を模式的に示す斜視図である。
【図２】図１に示すノズルが備えられたノズルユニットを模式的に示す斜視図であって、（ａ）はノズルが収納（伸出前）状態である場合を示す図であり、（ｂ）はノズルが伸出状態である場合を示す図である。
【図３】図２に示すノズルユニットからノズルを取り出したときの当該ノズルを模式的に示す斜視図である。
【図４】ノズルを２つに分割したときのノズル全体の斜視図である。
【図５】図４に示すノズルのうちノズル本体部の先端の拡大斜視図である。
【図６】図４に示すノズルのうちノズルヘッド部を図４中Ｂ方向から見たときの拡大斜視図である。
【図７】ノズルの先端部分の拡大斜視図であり、（ａ）はノズルヘッド部の取り外し前の状態を示し、（ｂ）はノズルヘッド部の取り外し後の状態を示す。
【図８】本発明の第二実施形態に係る衛生洗浄装置が備えるノズルの先端部分の拡大斜視図である。
【図９】本発明の第三実施形態に係る衛生洗浄装置が備えるノズルの先端部分の拡大斜視図である。
【図１０】本発明の第四実施形態に係る衛生洗浄装置が備えるノズルの底面図であって、（ａ）はノズル本体部からノズルヘッド部を取り外したときの図であり、（ｂ）はノズル本体部とノズルヘッド部とを組み立てたときの図である。
【図１１】図１０に示すノズルにおけるノズル本体部の先端の拡大斜視図である。
【図１２】図１０（ａ）に示すノズルのＸ−Ｘ矢視断面図である。
【発明を実施するための形態】
【００３７】
以下、添付図面を参照しながら本発明の複数の実施形態について説明する。理解を容易にするため、各図面において同一の構成要素に対しては可能な限り同一の符号を付し、重複する説明は省略する。
【００３８】
＜第一実施形態＞
本発明の第一実施形態に係る衛生洗浄装置及びこれを備えたトイレ装置について説明する。
【００３９】
−−−全体構成−−−
まず、衛生洗浄装置及びこれを備えたトイレ装置の全体構成について説明する。
【００４０】
図１は、本発明の第一実施形態に係る衛生洗浄装置２０を備えたトイレ装置２を模式的に示す斜視図である。
【００４１】
図１に示すようにトイレ装置２は、例えばトイレ装置２を遠隔制御するリモコン装置４と一緒にトイレルーム等に設けられている。
【００４２】
トイレ装置２は、洋式腰掛便器１０（以下、便器１０と称す。）と、その上に設けられた衛生洗浄装置２０と、を備えている。また、トイレ装置２の周囲には、リモコン装置４が設けられている。
【００４３】
便器１０は、ボウル部１２を有する。ボウル部１２は、便器１０の上部に設けられている。ボウル部１２の形状は、便器１０の上面よりも凹んだ凹状である。このボウル部１２は、使用者から排泄された汚物や尿などを受ける。また、ボウル部１２は、内部に水を貯留し、排水管から悪臭や害虫類などが室内に侵入することを防ぐ。
【００４４】
衛生洗浄装置２０は、便座２２と、便蓋２４と、ケーシング２６と、を有する。
【００４５】
便座２２と便蓋２４とは、ケーシング２６に対して開閉自在にそれぞれ軸支されている。
【００４６】
ケーシング２６は、便器１０の上面のうち、便座２２と便蓋２４が開閉する側を手前側としたとき後側に位置する部分に配置されている。このケーシング２６には、例えば、使用者が便座２２に座ったことを検知する着座検知センサ２８が設けられている。また、ケーシング２６の内部には、便座２２に座った使用者のおしり等の局部を洗浄する伸出自在なノズル１００を備えたノズルユニットが内蔵されている。
【００４７】
図２（ａ）は、図１に示すノズル１００が備えられたノズルユニット２００を模式的に示す斜視図であって、ノズル１００が収納（伸出前）状態である場合を示す図である。図２（ｂ）は、図１に示すノズル１００が備えられたノズルユニット２００を模式的に示す斜視図であって、ノズル１００が伸出状態である場合を示す図である。
【００４８】
図２（ａ）に示すように、ノズルユニット２００は、ノズル１００と、当該ノズル１００を保持する取付台２０２と、衛生洗浄装置２０の制御により回転駆動するモータ２０４と、当該モータ２０４の駆動により自転するタイミングベルト２０６と、を備える。
【００４９】
ノズル１００は、取付台２０２によりガイドされ、一定の角度で伸出又は収納する。なお、ノズル１００は、モータ２０４の回転力がタイミングベルト２０６を介して直線の力として伝わることで、直線方向に移動する。
【００５０】
ノズル１００は、着座検知センサ２８が便座２２に座った使用者を検知していない場合においては、汚染を防止するために、便器１０のボウル部１２内に出ないように収納されている。そして、図２（ｂ）に示すように、ノズル１００は、着座検知センサ２８が便座２２に座った使用者を検知している場合において、例えば、さらに使用者が、リモコン装置４やトイレ装置２に設けられた不図示の操作部を操作すると、モータ２０４の駆動によりノズル１００が収納状態から便器１０のボウル部１２内に伸出される。また、ノズル１００の清掃やメンテナンスを行う場合においては、着座検知センサ２８が便座２２に座った使用者を検知していない場合においても、ノズル１００がボウル部１２内に伸出される。
【００５１】
−−−要部構成−−−
次に、本発明の第一実施形態に係る衛生洗浄装置２０の要部構成について説明する。
【００５２】
図３は、図２に示すノズルユニット２００からノズル１００を取り出したときの当該ノズル１００を模式的に示す斜視図である。
【００５３】
図３に示すように、ノズル１００は、一軸方向として例えばＡ軸方向に長い略筒形状である。このＡ軸方向は、例えば、ノズル１００の伸出方向と同じ方向である。また、Ａ軸方向は、ノズル１００の中心軸Ｏに沿っている。
【００５４】
ノズル１００のＡ軸方向の先端部には、複数の吐水口１０２,１０４,１０６,１０８が設けられている。
【００５５】
これら吐水口１０２,１０４,１０６,１０８のうち吐水口１０２,１０４,１０６は、ノズル１００が衛生洗浄装置２０に装着されている状態においてノズル１００の先端部の上面部となる部分に、Ａ軸方向に沿って設けられている。吐水口１０２,１０４,１０６は、例えば、Ａ軸方向の先端部から奥に向かって順に設けられている。吐水口１０２からは、例えば、女性局部を洗浄するための洗浄水が噴出される。吐水口１０４,１０６からは、例えば、人体の肛門部を洗浄するための洗浄水が噴出される。
【００５６】
吐水口１０２,１０４,１０６,１０８のうち吐水口１０８は、ノズル１００が衛生洗浄装置２０に装着されている状態においてノズル１００の先端部の先端面下部となる部分に設けられている。この吐水口１０８からは、例えば、便器面（ボウル部１２）を洗浄するための洗浄水が噴出される。なお、なお、「下部」とは、衛生洗浄装置２０が便器１０に設けられたときに、便器１０の設置面側である。
【００５７】
このようなノズル１００は、一つの筒体で構成される場合もあるが、第一実施形態では、Ａ軸方向において複数の部品に分割自在な構成である。
【００５８】
図４は、ノズル１００を２つに分割したときのノズル１００全体の斜視図である。
【００５９】
図４に示すように、ノズル１００は、例えば、第１ノズル部品としてのノズル本体部１１０と、第２ノズル部品としてのノズルヘッド部１５０と、で組み立てられており、この組み立て状態からこれらの部品に分割自在となっている。
【００６０】
ノズル本体部１１０は、ノズル１００がＡ軸方向に分割された片方の部品である。一方で、ノズルヘッド部１５０は、ノズル１００がＡ軸方向に分割された他方の部品であって、ノズル本体部１１０の先端に対して着脱自在な部品である。本実施形態では、この２つの部品も、後述するように複数の部品でそれぞれ構成されている。
【００６１】
図３に戻って、ノズル本体部１１０とノズルヘッド部１５０の分割ラインは、例えば、周方向および軸方向からなる。周方向の分割ライン１８０及び軸方向の分割ライン１８２のうち特に、軸方向の分割ライン１８２は、ノズル１００の中心軸Ｏより下方に形成されている。これにより、ノズル１００の上方から見たときに目立ちにくく、且つ、ノズル１００の上方からのゴミ等のライン内への進入が抑制されて清潔性を向上することができる。なお、ノズル１００の周方向は、後述する内部の流路が複雑でない箇所である、流路がＡ軸方向に一直線な箇所で分割されている。
【００６２】
図５は、図４に示すノズル１００のうちノズル本体部１１０の先端の拡大斜視図である。
【００６３】
図５に示すように、ノズル本体部１１０は、ノズル本体１２０と、ノズル本体カバー１３０と、を備えている。
【００６４】
ノズル本体１２０は、例えば、筒状である。ノズル本体１２０の正面視は円形状であるものの、側面は適宜肉抜きされている。
【００６５】
このノズル本体１２０には、Ａ軸方向に沿って貫通した、複数の流路１２２Ａ,１１２Ｂ,１２２Ｃ,１２２Ｄが形成されている。これらの流路１２２Ａ,１１２Ｂ,１２２Ｃ,１２２Ｄ内には、不図示の給水源から衛生洗浄装置２０のケーシング２６内を流れてくる水がＡ軸方向に向かって流れるようになっている。
【００６６】
また、ノズル本体１２０の先端面１２０Ａには、ノズルヘッド部１５０と係合するため、流路１２２Ａ,１１２Ｂ,１２２Ｃ,１２２Ｄとは異なる箇所に、例えばＡ軸方向先端側から見たとき略四角形状の係合凹部１２４が設けられている。なお、この先端面１２０Ａは、ノズルヘッド部１５０の後端部と接続されるため、ノズル本体部１１０とノズルヘッド部１５０との接続箇所１２１となる。
【００６７】
また、ノズル本体１２０の先端面１２０Ａの外周下部からは、リブ１２６ＡがＡ軸方向に延出している。同様に、ノズル本体１２０の先端面１２０Ａの外周上部からも、リブ１２６ＢがＡ軸方向に延出している。リブ１２６Ａ,１２６Ｂは、ノズル本体１２０がノズル本体カバー１３０に入った状態で当該ノズル本体カバー１３０の先端から突出して外部に露出しており、ノズルヘッド部１５０に嵌合する。リブ１２６Ａ,１２６Ｂそれぞれの先端面の形状は、例えば台形状となっている。リブ１２６Ａ,１２６Ｂそれぞれの上底は、中心軸Ｏ側にある。
【００６８】
ノズル本体１２０は、上記リブ１２６Ａ,１２６Ｂやノズル本体１２０の後端部を除き、ノズル本体カバー１３０によって覆われている。
【００６９】
ノズル本体カバー１３０は、筒状に形成されている。このノズル本体カバー１３０は、ノズルヘッド部１５０が乗せられて、後述するノズル本体部１１０とロックされる箇所までスライド自在なスライド部１３２を有する。
【００７０】
スライド部１３２は、ノズル本体カバー１３０の先端の外周の下部より、中心軸Ｏの延長方向（Ａ軸方向）に延出している。このスライド部１３２は、例えば、ノズル先端方向（Ａ軸方向の先端側）から見たときに、弧状に形成されている。また、スライド部１３２の高さは、例えば、中心軸Ｏより低くされている。
【００７１】
また、スライド部１３２のＡ軸方向に沿った両端部には、ノズル本体部１１０の内側に突出したレール状の案内部１３４Ａ,１３４Ｂが設けられている。案内部１３４Ａ,１３４Ｂは、例えばスライド部１３２の後端よりも奥側で且つノズル本体１２０の先端手前から、スライド部１３２の先端手前までＡ軸方向に沿って真っ直ぐに続いている。
【００７２】
スライド部１３２の先端部中央には、Ａ軸方向の逆方向に向かって切り欠かれた切り欠き穴１３６が設けられている。この切り欠き穴１３６の周方向両脇にあるスライド部１３２の先端部周面には、ノズルヘッド部１５０が係合する係合凹部１３８が形成されている。切り欠き穴１３６は、係合凹部１３８にノズルヘッド部１５０が係合しても、Ａ軸方向反対側は露出しているため、切り欠き穴１３６からノズル本体カバー１３０内に入った水が外部へ排水される。また、切り欠き穴１３６により、組み立て時におけるノズルヘッド部１５０の左右の傾きを調心する。この切り欠き穴１３６の奥にあるスライド部１３２には、ノズルヘッド部１５０を受ける受け台１４０が設けられている。
【００７３】
また、スライド部１３２の手前のノズル本体カバー１３０の先端部には、ノズル本体部１１０及びノズルヘッド部１５０（の接続）をロックするロック部１４２の片側部分であるフック１４２Ａが設けられている。フック１４２Ａは、案内部１３４Ａの上部にあるノズル本体カバー１３０の先端部の内周面から中心軸Ｏに向かって突出している。
【００７４】
図６は、図４に示すノズル１００のうちノズルヘッド部１５０を図４中Ｂ方向から見たときの拡大斜視図である。
【００７５】
図６に示すように、ノズルヘッド部１５０は、ノズルヘッド１６０と、ノズルヘッドカバー１７０と、パッキン１９０と、を有する。このノズルヘッド部１５０は、これらノズルヘッド１６０と、ノズルヘッドカバー１７０と、パッキン１９０とが一体となって、ノズル本体部１１０に対して着脱するようになっている。
【００７６】
ノズルヘッド１６０は、例えば、筒状である。ノズルヘッド１６０は、説明を省略するが複数の部品で構成されている。このノズルヘッド１６０には、上述した吐水口１０２,１０４,１０６,１０８（図３参照）が形成されている。
【００７７】
このノズルヘッド１６０には、それぞれＡ軸方向に沿って、複数の流路１２２Ａ,１１２Ｂ,１２２Ｃ,１２２Ｄに対応する４つの流路（不図示）が形成されている。これら４つの流路は、パッキン１９０を介して複数の流路１２２Ａ,１１２Ｂ,１２２Ｃ,１２２Ｄに接続されて、当該流路１２２Ａ,１１２Ｂ,１２２Ｃ,１２２Ｄから流れてくる水が、４つの流路を流れ、当該４つの流路の先である、吐水口１０２,１０４,１０６,１０８から噴出する。
【００７８】
また、図６中においてノズルヘッド１６０の先端側一部であり外周面の右下部には、レール状の案内部１３４Ａを受けるレール台１６２が設けられている。図示しないが、同様に、ノズルヘッド１６０においてレール台１６２の反対側にも、案内部１３４Ｂを受けるレール台が設けられている。
【００７９】
ノズルヘッド１６０の後端面には、Ａ軸方向と反対方向に延出し、ノズルヘッド部１５０とノズル本体部１１０との接続の際、係合凹部１２４に嵌るフック状係合凸部１６４が設けられている。
【００８０】
ノズルヘッド１６０は、ノズルヘッドカバー１７０により、その上部及び先端部が覆われ、下部及び後端部は露出している。
【００８１】
ノズルヘッドカバー１７０の先端面は、Ａ軸方向先端側から見たとき、スライド部１３２の先端を受け止めることができるように、略円形状に形成されている。ノズルヘッドカバー１７０は、Ａ軸方向後端側から見たときは、輪状のうちスライド部１３２の弧状部分を除いた弧状に形成されている。すなわち、スライド部１３２とノズルヘッドカバー１７０が一体となったとき、Ａ軸方向後端側から見ると、略輪状となる。ノズルヘッドカバー１７０の先端の裏面下部には、Ａ軸方向の反対方向に延出する係合延出部１７１が設けられている。係合延出部１７１は、スライド部１３２の係合凹部１３８に嵌ることで、ノズルヘッドカバー１７０の回転を抑制している。また、係合延出部１７１が係合凹部１３８を受ける形となるので、係合凹部１３８を含むスライド部１３２が水圧で下に落ち込むことが抑制される。
【００８２】
図３に示すように、ノズルヘッドカバー１７０の周面上部には、吐水口１０２,１０４,１０６より噴出される水と干渉しないよう、１つの略楕円形状の開口１６６が設けられている。この開口１６６があることで、水との干渉を防止するだけでなく、ノズルヘッド１６０に対するノズルヘッドカバー１７０の位置合わせが容易となる。
【００８３】
図６に戻って、ノズル本体部１１０側となるノズルヘッドカバー１７０の後端部からは、ノズル本体部１１０内に差し込まれる差込み部としてのインロー部１７２が延出している。インロー部１７２は、当該インロー部１７２を除くノズルヘッドカバー１７０の外径より外径が小さく、ノズル本体部１１０のノズル本体カバー１３０の内側に入る構造となっている。
【００８４】
このインロー部１７２の外周面には、Ａ軸方向後端から見たときに、凹状となる凹部１７４が形成されている。この凹部１７４の底部のうちＡ軸方向側の底部のみは板厚方向に貫通しており、この貫通穴でフック１４２Ａが嵌るフック受け穴１４２Ｂを形成している。このフック受け穴１４２Ｂは、ロック部１４２の一部であり、フック１４２Ａが嵌ることにより、ノズル本体部１１０とノズルヘッド部１５０とをロックする。なお、フック１４２Ａは、フック受け穴１４２Ｂの周囲よりも強度が高く、着脱動作の繰り返し等により保持強度（ロック強度）が低下した場合でも、ノズルヘッド部１５０のみ交換すれば、保持強度が回復する。
【００８５】
また、インロー部１７２の周囲にあるノズルヘッドカバー１７０の後端部の領域は、押し込み操作されることで少なくとも一部が移動してロック部１４２のロックを解除する操作部１７８となっている。なお、操作部１７８の領域は、図６中点線で示しているが、その形状や大きさに限定はない。
【００８６】
操作部１７８は、ノズルヘッドカバー１７０の後端部において周側面の一部に形成されており、その一部に位置するノズルヘッドカバー１７０の内周面と、ノズルヘッド１６０の外周面との間には、隙間Ｄが形成されている。これにより、操作部１７８が、押し込み操作されることで、隙間Ｄ側に弾性変形して操作部１７８の少なくとも一部が移動するようになっている。
【００８７】
操作部１７８は、ノズルヘッドカバー１７０における当該操作部１７８の周囲と略面一である。
【００８８】
ノズルヘッド部１５０のパッキン１９０は、漏水することを防ぐ為に設けられている。このパッキン１９０は、板状であって、ノズルヘッド１６０の後端面と接触する。また、パッキン１９０は、ノズルヘッド部１５０の脱時に落下及び紛失することを防ぐため、フック状係合凸部１６４によってノズルヘッド１６０に固定されている。また、ノズルヘッド１６０に固定されることで、ノズルヘッド１６０の取り外し時に、パッキン１９０も一緒に取り外すことができる。
【００８９】
−−−作用−−−
次に、本発明の第一実施形態に係る作用について説明する。
【００９０】
−−−ノズルヘッド部１５０を取り付ける際−−−
まず、ノズルヘッド部１５０を、ノズル本体部１１０に取り付ける（接続する）際の作用について詳述する。
【００９１】
図４に示すように、使用者は、ノズルヘッド部１５０を指等で掴む。そして、使用者は、ノズルヘッド部１５０をノズル本体部１１０のスライド部１３２の先端側に乗せる。その後、スライド部１３２を利用して、ノズルヘッド部１５０をロック箇所（フック１４２Ａの箇所）までスライドさせる。
【００９２】
スライド部１３２上をスライドする過程において、ノズルヘッド部１５０は、２つのレール台１６２が、案内部１３４Ａ,１３４Ｂと係合することにより、ノズル本体部１１０とのロック箇所に案内される。そして、スライドの勢いで、フック１４２Ａが一時的に外側に撓んで凹部１７４に入った後、フック受け穴１４２Ｂに嵌り込んで、ノズル本体部１１０とノズルヘッド部１５０をロックすることができる。
【００９３】
以上のように、掴む及びスライドという２つの作業により、ノズルヘッド部１５０がノズル本体部１１０に取り付けられる。
【００９４】
ここで、ノズルヘッド部１５０の取り付けが、スライドという一つの操作でロックも行なうことができるので、ロックまでの一連の作業効率を向上することができる。また、スライド部１３２があることで、スライド部１３２がない場合に比べて、ノズルヘッド部１５０をノズル本体部１１０に接続し始めるときに、ノズルヘッド部１５０のずれが生じることを抑制でき、もって、ノズルヘッド部１５０とノズル本体部１１０の接続を容易にすることができる。
【００９５】
なお、図６に示すように、レール台１６２は、ノズルヘッド１６０の先端側一部に備えることで、ノズルヘッド部１５０がスライド部１３２に乗せられた時点では、案内部１３４Ａ,１３４Ｂと係合しておらず、容易にスライドすることができ、そのスライドの過程で案内部１３４Ａ,１３４Ｂとレール台１６２とが係合することで、ノズルヘッド部１５０とノズル本体部１１０の位置合せを行うことができる。
【００９６】
スライドの過程では、案内部１３４Ａ,１３４Ｂとレール台１６２（案内溝ともなる）の係合により、Ａ軸方向以外の動きが制限され、例えば、上下左右方向、回転方向へずらすことを抑制できる。また、案内部１３４Ａ,１３４Ｂとレール台１６２が係合していない状態でノズルヘッド部１５０をスライドさせた場合、ノズル本体部１１０とノズルヘッド部１５０が接続されるより前に、ノズル本体カバー１３０の周縁部とノズルヘッドカバー１７０の周縁部が干渉する為、接続できないことから、誤装着が防止される。
【００９７】
また、ノズル本体１２０がリブ１２６Ａ,１２６Ｂを有することで、スライドの過程において、パッキン１９０がノズル本体部１１０に接続される前に、ノズル本体部１１０とノズルヘッド部１５０の双方の位置決めを行うことができる。なお、図４では、スライド前の状態において、パッキン１９０がノズル本体部１１０に接続されているが、この場合であっても、ノズル本体部１１０とノズルヘッド部１５０とは接続可能である。
【００９８】
−−−ノズルヘッド部１５０を取り外す際−−−
次に、ノズルヘッド部１５０を、ノズル本体部１１０に取り外す際の作用について詳述する。
【００９９】
図７は、ノズル１００の先端部分の拡大斜視図であり、（ａ）はノズルヘッド部１５０の取り外し前の状態を示し、（ｂ）は、ノズルヘッド部１５０の取り外し後の状態を示す。
【０１００】
図７（ａ）に示すように、使用者は、ノズルヘッド部１５０を指等で掴む。この際、親指の腹等で操作部１７８と接触できるように掴む。そして、使用者は、ノズルヘッド部１５０を掴んだ状態のまま操作部１７８に接触している指の腹で、操作部１７８を径方向内側（図中矢印方向）に押し込み操作する。これにより、操作部１７８が弾性変形して少なくとも一部が内側に移動し、ノズルヘッド部１５０に設けられたフック受け穴１４２Ｂも内側に移動する。この結果、フック１４２Ａとの係合が外れて、ノズル本体部１１０とノズルヘッド部１５０とのロックが解除される。
【０１０１】
次に、図７（ｂ）に示すように、使用者は、ノズルヘッド部１５０を掴んだ状態で且つ押し込み操作の状態のまま、スライド部１３２に沿ってＡ軸方向に引き抜く。
【０１０２】
以上、掴む、押し込み操作、引き抜きという３つの作業により、ノズルヘッド部１５０がノズル本体部１１０から取り外される。
【０１０３】
−−−効果−−−
次に、本発明の第一実施形態に係る効果について説明する。
【０１０４】
本発明の第一実施形態に係る衛生洗浄装置２０によれば、押し込み操作されることで少なくとも一部が移動してロック部１４２のロックを解除する操作部１７８をノズル１００が備えるので、ロック部１４２によりノズルヘッド部１５０とノズル本体部１１０とがロックされた状態において掃除等がされる場合に、ノズルヘッド部１５０に対して回転操作や引く操作が行われたとしても、操作部１７８に対する押し込み操作がなければ、ロックの解除がされない。また、布等でノズル１００を握って回転操作が行なわれる掃除のときに、回転前にノズルヘッド部１５０に接触する程度の押し込み操作も想定され得るが、操作部１７８の少なくとも一部が移動するようなより大きな力の押し込み操作、すなわち押し込み操作でなければ、操作部１７８が移動せず、ロックの解除がされない。掃除等の際には、操作部１７８に対する押し込み操作まで行なわれる場合も想定され得るが、第一実施形態の構成によれば、少なくとも回転操作や引く操作でロックが不用意に解除されてしまうことを抑制することができる。
【０１０５】
なお、操作部１７８を押し込み操作していない状態では、ノズルヘッド部１５０とノズル本体部１１０とがロックされた状態にあるため、例えば、ノズル１００からの水の噴射に伴って、その水圧により受ける軸方向の力に対して、ノズルヘッド部１５０が安定的に保持される。
【０１０６】
また、操作部１７８は、ノズル１００の一部に設けられているので、操作部１７８を除くノズル１００の何れかの部分に押し込み操作が行なわれたとしても、ノズル１００の一部に設けられている操作部１７８には、押し込み力が働かないか、押し込み力が分散されて操作部１７８が移動しない程度の力にまで低減されることになる。このような力では、操作部１７８が移動せず、ロックの解除がされない。したがって、第一実施形態の構成によれば、押し込み操作でロックが不用意に解除されてしまうことを抑制することができる。
【０１０７】
また、ノズル１００の周側面に操作部１７８が設けられているので、ロックを解除する際には、径方向に押し込み操作をすることになる。したがって、ノズルを軸方向に押す操作（押し込み操作を含む）や引く操作があっても、径方向に押し込み操作することにならないので、ロックが不用意に解除されてしまうことを一層抑制することができる。
また、ノズルヘッド部１５０をノズル本体部１１０から引き抜くために周側面を摘む場合に、その際、一緒に周側面に設けられた操作部１７８が押し込み操作されるか、摘む部分の周囲の周側面に押し込み力が働いて、ロックを解除することができる。したがって、ノズルヘッド部１５０を引き抜くときの作業効率を向上することができる。
【０１０８】
また、操作部１７８は、押し込み操作により弾性変形するので、操作部１７８が例えば後述するようにノズル１００から突出する押ボタンである場合に比べて、単純な構造でロックを解除することができる。また、操作部１７８は、弾性変形して移動するため、押し込み操作が終わった後は、操作部１７８は、逆方向に弾性変形して元の位置に戻るので、再度ノズルヘッド部１５０を使用することができる。
【０１０９】
また、操作部１７８は、ノズルヘッド部１５０における操作部１７８の周囲と略面一であるため、操作部１７８が例えば凹凸して操作部１７８の周囲と略面一でない場合に比べて、目立たなくなるものの、局所的に汚れることを抑制できる。
【０１１０】
また、ノズルヘッド部１５０をノズル本体部１１０から引き抜くためにノズルヘッド部１５０の周側面を摘む場合に、操作部１７８が引き抜く対象のノズルヘッド部１５０に設けられているので、操作部１７８を掴むことができる。したがって、操作部１７８を掴めば、押し込み操作と引き抜き操作を、手を離すことなく一連の動作で行なうことができるため、ノズルヘッド部１５０を引き抜くときの作業効率を向上することができる。
【０１１１】
また、操作部１７８は、ノズルヘッド部１５０の後端部に設けられているため、操作部が端部にない場合に比べて、弾性変形し易い。
【０１１２】
また、ロック部１４２が、フック１４２Ａとフック受け穴１４２Ｂという構成のため、ノズルヘッド部１５０をノズル本体部１１０に差し込むだけで、フック１４２Ａがフック受け穴１４２Ｂに嵌り、ノズル本体部１１０とノズルヘッド部１５０とをロックすることができる。そして、ロック部１４２のフック受け穴１４２Ｂが操作部１７８と同じ端部に設けられることで、操作部１７８が押し込み操作されると、フック受け穴１４２Ｂを容易に移動させて、ロックを解除することができる。
【０１１３】
また、フック受け穴１４２Ｂがインロー部１７２に設けられているため、インロー部１７２がノズル本体部１１０内に差し込まれた状態、すなわちノズル１００が組み立てられている状態では、貫通したフック受け穴１４２Ｂが内部に隠れることになるので、貫通したフック受け穴１４２Ｂが外部に露出している場合に比べて、フック受け穴１４２Ｂが汚れにくく、またノズル１００の掃除がし易い。
【０１１４】
また、ノズル１００のノズル本体部１１０がスライド部１３２を備えることで、ノズルヘッド部１５０をスライド部１３２に乗せた後、そのままロックされる箇所までスライドすれば、その勢いでフック１４２Ａがフック受け穴１４２Ｂに嵌り込み、ノズル本体部１１０とノズルヘッド部１５０をロックすることができる。したがって、ロックまでの一連の作業効率を向上することができる。また、スライド部１３２がない場合に比べて、ノズルヘッド部１５０をノズル本体部１１０に接続し始めるときに、ノズルヘッド部１５０のずれが生じることを抑制でき、もって、ノズルヘッド部１５０とノズル本体部１１０の接続を容易にすることができる。また、ノズルヘッド部１５０の取り外しの際も、押し込み操作でロックを解除した後、スライド部１３２がノズルヘッド部１５０を受けつつスライドして引き抜くことができるので、ノズルヘッド部１５０を誤ってボウル部１２内に落とすことを抑制できる。
【０１１５】
また、取り外し自在のノズルヘッド部１５０がノズルヘッドカバー１７０だけでなくノズルヘッド１６０自体も備えるので、水が流れる流路内の清掃をするときに、ノズル１００全体を取り外さなくても、ヘッドヘッド１６０をノズルヘッドカバー１７０と共に、ノズル本体部１１０から取り外すことができ、清掃時の作業効率を向上することができる。
【０１１６】
また、スライド部１３２がノズル本体部１１０の一端の外周のうち下部から延出しているので、ノズル本体部１１０を外すことなく、ノズルヘッド部１５０をスライド部１３２に乗せることができる。
【０１１７】
また、スライド部１３２がノズル本体部１１０の中心軸Ｏの延長方向に延出しているので、ノズル本体部１１０の中心軸Ｏから斜めに延出している場合に比べて、スライドが容易となる。
【０１１８】
また、スライド部１３２にノズルヘッド部１５０を乗せて、ノズル本体部１１０とのロック箇所までスライドする際に、案内部１３４Ａ,１３４Ｂがあることで、ノズルヘッド部１５０のずれが生じることを一層抑制することができる。また、その案内部１３４Ａ,１３４Ｂがレール状であるため、ノズルヘッド部１５０をロック箇所まで一方向のスライドのみで案内することができ、案内がずれることを抑制できる。
【０１１９】
＜第二実施形態＞
次に、本発明の第二実施形態に係る衛生洗浄装置及びこれを備えたトイレ装置について説明する。
【０１２０】
図８は、本発明の第二実施形態に係る衛生洗浄装置が備えるノズル５００の先端部分の拡大斜視図である。
【０１２１】
図８に示すように、ノズル５００は、第一実施形態で説明したノズル１００と同様の形状で、且つ、内部構造も同様である。ただし、操作部５０２が、第一実施形態で説明した操作部１７８と異なる。
【０１２２】
操作部５０２は、ノズルヘッド部１５０の周側面に設けられている。操作部５０２は、その周囲の周側面よりも凹んでいる。操作部５０２は、押し込み操作により、内部に向かって弾性変形する。
【０１２３】
以上、本発明の第二実施形態に係る衛生洗浄装置及びこれを備えたトイレ装置によれば、第一実施形態と同様の効果を奏する他、操作部５０２が周囲の周側面よりも凹んでいるため、その凹みが操作部５０２の標識部となり、使用者は、操作部５０２の場所を特定することができる。また、操作部５０２が凹んでいるため、ノズルヘッド部１５０を把持し易い。
【０１２４】
＜第三実施形態＞
次に、本発明の第三実施形態に係る衛生洗浄装置及びこれを備えたトイレ装置について説明する。
【０１２５】
図９は、本発明の第三実施形態に係る衛生洗浄装置が備えるノズル６００の先端部分の拡大斜視図である。
【０１２６】
図９に示すように、ノズル６００は、第一実施形態で説明したノズル１００と同様の形状で、且つ、内部構造も同様である。ただし、操作部６０２が、第一実施形態で説明した操作部１７８と異なる。
【０１２７】
操作部６０２は、押ボタンとなっている。この押ボタンは、押し込み操作されると、弾性変形してもよいし、弾性変形せずにノズル６００の内部側に移動したまま、戻ってこなくてもよい。
【０１２８】
以上、本発明の第三実施形態に係る衛生洗浄装置及びこれを備えたトイレ装置によれば、第一実施形態と同様の効果を奏する他、操作部５０２が押ボタンとなっているため、操作部５０２の標識部となり、使用者は、操作部５０２の場所を特定することができる。
【０１２９】
＜第四実施形態＞
次に、本発明の第四実施形態に係る衛生洗浄装置及びこれを備えたトイレ装置について説明する。
【０１３０】
図１０は、本発明の第四実施形態に係る衛生洗浄装置が備えるノズル７００の底面図であって、（ａ）はノズル本体部１１０からノズルヘッド部１５０を取り外したときの図であり、（ｂ）はノズル本体部１１０とノズルヘッド部１５０とを組み立てたときの図である。
【０１３１】
図１０（ａ）及び（ｂ）に示すように、ノズル７００は、第一実施形態で説明したノズル１００と同様の構成を備えている。ただし、ロック部１４２や操作部１７８を除くその他の形状や配置が異なる。
【０１３２】
まず、ノズル７００は、第一実施形態の係合延出部１７１と形状が異なる係合延出部７０２を有している。係合延出部７０２は、ノズルヘッドカバー１７０の先端の裏面下部からＡ軸方向の反対方向に延出している。係合延出部７０２は、スライド部１３２の係合凹部１３８に嵌ることで、ノズルヘッドカバー１７０の回転を抑制している。
【０１３３】
この係合延出部７０２の底面視の形状は、凸形状となっている。この凸形状の頂上部分は、スライド部１３２に設けられた切り欠き穴１３６よりも周幅が小さくなっている。
【０１３４】
図１１は、図１０に示すノズル７００におけるノズル本体部１１０の先端の拡大斜視図である。
【０１３５】
図１１に示すように、ノズル本体部１１０のノズル本体１２０は、第一実施形態のリブ１２６Ａ,１２６Ｂと形状が異なるリブ７０４Ａ,７０４Ｂを有している。リブ７０４Ａ,７０４Ｂそれぞれの先端面の形状は、凸形状となっている。リブ７０４Ａ,７０４Ｂそれぞれの頂部は、中心軸Ｏ側にある。
【０１３６】
ノズル本体部１１０の周側面先端部には、第１凹部７０６Ａが設けられている。また、ノズル本体部１１０の周側面先端部の第１凹部７０６Ａと反対側には、第１凹部７０６Ａよりも狭い第２凹部７０６Ｂが設けられている。
【０１３７】
また、ノズル本体カバー１３０のスライド部１３２のＡ軸方向に沿った両端部には、案内部１３４Ａ,１３４Ｂと形状と異なる案内部７０８Ａ,７０８Ｂが設けられている。案内部７０８Ａ,７０８Ｂはそれぞれ、レール形状であるものの、上記両端部からノズル本体カバー１３０の周方向に突出している。また、案内部７０８Ａ,７０８Ｂはそれぞれ、上記両端部よりも厚みが薄くされており、ノズル本体カバー１３０の内側において案内部７０８Ａ,７０８Ｂと上記両端部との間に段差を形成している。案内部７０８Ａ,７０８Ｂはそれぞれ、スライド部１３２の後端から、スライド部１３２の先端までＡ軸方向に沿って真っ直ぐに続いている。
【０１３８】
ノズル本体カバー１３０において案内部７０８Ａ,７０８Ｂそれぞれの奥には、突出板７１０Ａ,７１０Ｂが設けられている。突出板７１０Ａ,７１０Ｂは、ノズル本体カバー１３０の内周面から内側に向かって真っ直ぐ突出している。突出板７１０Ａは、第１凹部７０６Ａに入り込み、突出板７１０Ｂは、第２凹部７０６Ｂに嵌り込んでいる。
【０１３９】
また、ノズル本体カバー１３０において案内部７０８Ａ,７０８Ｂに近い内周面には、突出板７１２Ａ,７１２Ｂが設けられている。突出板７１２Ａ,７１２Ｂは、内周面から上方に向かって真っ直ぐ突出している。
【０１４０】
図１２は、図１０（ａ）に示すノズル７００のＸ−Ｘ矢視断面図である。
【０１４１】
図１２に示すように、ノズルヘッド部１５０のノズルヘッドカバー１７０の周方向の両端部には、案内部７０８Ａ,７０８Ｂよりも内側で案内部７０８Ａ,７０８Ｂと離間対向する内側突起７１４Ａ,７１４Ｂが設けられている。内側突起７１４Ａ,７１４Ｂはそれぞれ、上記両端部から下方に向かって真っ直ぐ突出し、案内部７０８Ａ,７０８Ｂの脇の段差面７１６Ａ,７１６Ｂの手前で突出が終わっている。
【０１４２】
以上、本発明の第四実施形態に係る衛生洗浄装置及びこれを備えたトイレ装置によれば、第一実施形態と同様の効果を奏する他、係合延出部７０２の底面視の形状が凸形状となっているため、組み立て時にノズルヘッド部１５０が傾いても、係合延出部７０２の頂上部が切り欠き穴１３６に入り込み、組み立てができるようになる。
【０１４３】
また、リブ７０４Ａ,７０４Ｂそれぞれの先端面の形状が凸形状であるため、ノズルヘッド１６０に設けられた２つの凹部（不図示）にリブ７０４Ａ,７０４Ｂがそれぞれ嵌り込む。この結果、掃除の際、ノズルヘッド部１５０に回転の力が掛っても、その回転を抑制することができる。
【０１４４】
また、突出板７１０Ａは、第１凹部７０６Ａに入り込み、突出板７１０Ｂは、第２凹部７０６Ｂに嵌り込んでいるため、ノズル本体１２０とノズル本体カバー１３０の回転を抑制することができる。突出板７１０Ａ,７１０Ｂがあることで、ノズルヘッド部１５０が斜めに傾いて取り付けようとしたときに、ノズルヘッド部１５０の下端が突出板７１０Ａ,７１０Ｂに当たって組み立てができないため、誤組み立てを抑制できる。
【０１４５】
また、ノズル本体カバー１３０において案内部７０８Ａ,７０８Ｂに近い内周面には、突出板７１２Ａ,７１２Ｂが設けられているため、ノズル本体カバー１３０が反ることを抑制することができる。
＜変形例＞
【０１４６】
以上、本願の開示する技術の実施形態について説明したが、本願の開示する技術は、上記に限定されるものではない。
【０１４７】
例えば、ノズル本体部１１０とノズルヘッド部１５０の分割ラインについて軸方向の分割ラインは、ノズル１００の中心軸Ｏより下方に形成される場合を説明したが、中心軸Ｏ方向の分割ラインは、ノズル１００の中心軸Ｏより上方に形成してもよい。
【０１４８】
また、ノズル本体部１１０にはノズル本体カバー１３０、ノズルヘッド部１５０にはノズルヘッドカバー１７０を有する場合を説明したが、ノズル本体カバー１３０およびノズルヘッドカバー１７０は、省略してもよい。また、ノズルヘッドカバー１７０を有する場合において、インロー部１７２を備える場合を説明したが、インロー部１７２は、省略してもよい。
【０１４９】
ノズル本体カバー１３０を省略する場合（省略しない場合であってもよい。）、スライド部１３２および案内部１３４Ａ,１３４Ｂは、ノズル本体カバー１３０で形成するのではなく、ノズル本体１２０の先端に形成してもよい。また、スライド部１３２は、省略してもよい。
【０１５０】
また、案内部１３４Ａ,１３４Ｂの形状および数は、上記に限定されず、任意の形状、任意の数でよい。
【０１５１】
また、パッキン１９０は、ノズルヘッド部１５０に固定する場合を説明したが、ノズル本体部１１０に固定してもよい。なお、パッキン１９０を固定する手段は、フック状係合凸部１６４である場合を説明したが、特に限定されず、接着部材やパッキン１９０を嵌める凹部等他の手段であってもよい。また、パッキン１９０を省略して、ノズル本体部１１０とノズルヘッド部１５０の各流路を直接合わせて、接続してもよい。
【０１５２】
また、ノズルヘッド部１５０の吐水口が４つある場合を説明したが、その何れか一つであってよい。また、ノズルヘッド部１５０の吐水口は、４つ以外の複数あってもよい。これに合わせて、ノズルヘッド部１５０の流路も４つある場合を説明したが、一つであっても、他の複数であってもよい。
【０１５３】
ロック部１４２のロック対象は、ノズル本体部１１０とノズルヘッド部１５０である場合を説明したが、ノズル１００の部品であれば、特に限定されるものではなく、例えば、ノズル１００がノズルカバーとノズル本体とに分割され、これらをロックするものであってもよい。
【０１５４】
また、ロック部１４２は、フック１４２Ａとフック受け穴１４２Ｂとで構成される場合を説明したが、その構成は特に限定されず、例えば、フック１４２Ａと当該フック１４２Ａを受ける不図示の他のフックとで構成されてもよい。また、フック１４２Ａとフック受け穴１４２Ｂの構成の場合のその位置は、第一実施形態の位置と逆であってもよい。フック１４２Ａとフック受け穴１４２Ｂの数は、それぞれ１つである場合を説明したが複数あってもよい。ただし、１つのみの方がノズルヘッド部１５０を取り外し易い。
【０１５５】
また、ノズル１００は、ノズル本体部１１０と、ノズルヘッド部１５０とに分割される場合を説明したが、Ａ軸方向に、３つ以上に分割されてもよい。
【０１５６】
また、操作部１７８は、ノズル１００の一部に設けられる場合を説明したが、全部に設けられてもよい。また、操作部１７８は、ノズルヘッドカバー１７０の周側面に設ける場合を説明したが、ノズルヘッドカバー１７０の先端面に設けてもよい。また、操作部１７８は、ノズルヘッド部１５０に設ける場合を説明したが、ノズル本体部１１０に設けてもよいし、ノズルヘッド部１５０とノズル本体部１１０の両方に設けてもよい。また、操作部１７８は、ノズルヘッド部１５０の端部に設けられる場合を説明したが、ノズルヘッド部１５０の中央部に設けられてもよい。
【０１５７】
前述した各実施の形態が備える各要素は、技術的に可能な限りにおいて組み合わせることができ、これらを組み合わせたものも本発明の特徴を含む限り本発明の範囲に包含される。
【符号の説明】
【０１５８】
２…トイレ装置
１０…便器
２０…衛生洗浄装置
１００,５００,６００,７００…ノズル
１０２,１０４,１０６,１０８…吐水口
１１０…ノズル本体部
１３２…スライド部
１４２…ロック部
１４２Ａ…フック
１４２Ｂ…穴
１５０…ノズルヘッド部
１６０…ノズルヘッド
１７０…ノズルヘッドカバー
１７２…インロー部（差込み部）
１７８,５０２,６０２…操作部
１９０…パッキン
【図１】
0006565126.tif 000002
【図２】
0006565126.tif 000003
【図３】
0006565126.tif 000004
【図４】
0006565126.tif 000005
【図５】
0006565126.tif 000006
【図６】
0006565126.tif 000007
【図７】
0006565126.tif 000008
【図８】
0006565126.tif 000009
【図９】
0006565126.tif 000010
【図１０】
0006565126.tif 000011
【図１１】
0006565126.tif 000012
【図１２】
0006565126.tif 000013